(57)【要約】【課題】遊技球の流下経路が単調にならないように、移動釘が遊技領域内を移動し得る構成とした弾球遊技機を提供する【解決手段】本パチンコ機の遊技盤３に、釘移動装置１００を配設する。該釘移動装置１００は、移動釘８３と、該移動釘８３が植設された移動板８４と、モーター８５ａ、円板部材８５ｂ、縦ガイド部材８５ｃ、及び横ガイド部材８５ｄを有する駆動手段８５とを備えている。この釘移動装置１００によると、該駆動手段８５のモーター８５ａを回転駆動させることにより、移動板８４を遊技盤３の面方向に対して垂直な方向に移動駆動し、移動釘８３を遊技領域３ａ内に出現・退避させることができる。【選択図】図５
2007117672.tif 000002
【特許請求の範囲】
【請求項１】
表面上に複数の釘が植設され、遊技球が打出される遊技領域を形成する遊技盤を備えた弾球遊技機において、
前記遊技盤に対して移動自在に配設された移動板と、
前記移動板に植設された移動釘と、
前記移動板を移動駆動自在な駆動手段と、を備え、
前記移動釘が前記遊技領域内を移動し得る、
ことを特徴とする弾球遊技機。
【請求項２】
前記遊技盤は、前記遊技領域における所定位置に貫通孔を有し、
前記移動板は、前記貫通孔に対応する位置の前記遊技盤の裏面側に配設され、
前記移動釘は、前記複数の釘よりも長く形成され、前記貫通孔を貫通して前記移動板に植設され、
前記駆動手段は、前記移動板を前記遊技盤の面方向に対して垂直な方向に移動駆動する、
ことを特徴とする請求項１記載の弾球遊技機。
【請求項３】
前記移動板に対して前記遊技盤とは反対側に対向配置され、前記移動板及び前記遊技盤の裏面を照明し得る照明手段を備え、
前記貫通孔は、前記移動釘の軸部の外径よりも大径な内径を有し、
前記遊技盤の貫通孔と前記移動釘との隙間から前記照明手段の照明を前記遊技領域に向けて照射する、
ことを特徴とする請求項２記載の弾球遊技機。
【請求項４】
前記貫通孔は、前記移動釘の頭部の外径よりも小径な内径を有する、
ことを特徴とする請求項３記載の弾球遊技機。
【請求項５】
前記移動板は、透過性材料からなる、
ことを特徴とする請求項３または４記載の弾球遊技機。
【請求項６】
前記移動板は、前記遊技盤の方向に向けて前記移動釘が植設された部分が中心となる先端先細形状に形成されてなり、
前記遊技盤は、前記裏面に前記貫通孔を中心とし、前記移動板の先端先細形状に合せた形状に形成された穴部を有してなる、
ことを特徴とする請求項３ないし５のいずれか記載の弾球遊技機。
【発明の詳細な説明】
【技術分野】
【０００１】
本発明は、パチンコ機等の弾球遊技機に係り、詳しくは遊技盤に複数の釘が植設された弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車などに導かれつつ盤面を流下して、各種入賞口に入球し、或いは入球せずに遊技領域下部のアウト口に流入するように構成されたものが知られている（特許文献１参照）。
【０００３】
このようなパチンコ機では、一般入賞口に入賞した際にそれに対応した個数の遊技球が払い出され、また始動チャッカーに入賞した際にはこれに基づいて大当たり抽選が行われると共に所定数の遊技球が払い出され、当該抽選の結果に応じて、遊技板の中央部分に設けられた液晶等の図柄表示装置の画面上で所定の演出表示が行われる。大当たりの発生時には、アタッカーと呼ばれる大入賞口が開放し、入賞に対応して多量の遊技球が払い出される状態となる。
【０００４】
【特許文献１】特開２００３−２３６２１０号公報
【発明の開示】
【発明が解決しようとする課題】
【０００５】
ところで、上述のようなパチンコ機においては、遊技者は遊技領域の障害釘や風車等の配置された位置や遊技盤の盤面を流下する遊技球を見ながら、例えば始動チャッカー等の入賞口を狙って発射ハンドルを操作することになる。しかしながら、遊技領域の障害釘や風車等の配置は弾球遊技機の機種により同じものであるので、遊技球の流下経路が単調になってしまう虞があり、興趣の高い弾球遊技機の開発が望まれていた。
【０００６】
そこで本発明は、移動釘が遊技領域内を移動し得る構成とし、興趣の高い弾球遊技機を提供することを目的とするものである。
【課題を解決するための手段】
【０００７】
請求項１に係る本発明は（例えば図１乃至図７参照）、表面上に複数の釘（例えば３０，３３，３９）が植設され、遊技球が打出される遊技領域（３ａ）を形成する遊技盤（３）を備えた弾球遊技機（１）において、
前記遊技盤（３）に対して移動自在に配設された移動板（８４，２８４，３８４）と、
前記移動板（８４，２８４，３８４）に植設された移動釘（８１，８３）と、
前記移動板（８４，２８４，３８４）を移動駆動自在な駆動手段（８５）と、を備え、
前記移動釘（８１，８３）が前記遊技領域内（３ａ）を移動し得る、
ことを特徴とする弾球遊技機（１）にある。
【０００８】
請求項２に係る本発明は（例えば図５乃至図７参照）、前記遊技盤（３）は、前記遊技領域（３ａ）における所定位置に貫通孔（８８）を有し、
前記移動板（８４，２８４，３８４）は、前記貫通孔（８８）に対応する位置の前記遊技盤（３）の裏面（３ｂ）側に配設され、
前記移動釘（例えば８３）は、前記複数の釘（例えば３０，３３，３９）よりも長く形成され、前記貫通孔（８８）を貫通して前記移動板（８４，２８４，３８４）に植設され、
前記駆動手段（８５）は、前記移動板（８４，２８４，３８４）を前記遊技盤（３）の面方向に対して垂直な方向（Ｘ１−Ｘ２方向）に移動駆動する、
ことを特徴とする請求項１記載の弾球遊技機（１）にある。
【０００９】
請求項３に係る本発明は（例えば図６及び図７参照）、前記移動板（８４，２８４，３８４）に対して前記遊技盤（３）とは反対側に対向配置され、前記移動板（８４，２８４，３８４）及び前記遊技盤（３）の裏面（３ｂ）を照明し得る照明手段（８６）を備え、
前記貫通孔（８８）は、前記移動釘（８３）の軸部（８３ｂ）の外径（Ｄ２）よりも大径な内径（Ｄ１）を有し、
前記遊技盤（３）の貫通孔（８８）と前記移動釘（８３）との隙間から前記照明手段（８６）の照明を前記遊技領域（３ａ）に向けて照射する、
ことを特徴とする請求項２記載の弾球遊技機（１）にある。
【００１０】
請求項４に係る本発明は（例えば図６及び図７参照）、前記貫通孔（８８）は、前記移動釘（８３）の頭部（８３ａ）の外径（Ｄ３）よりも小径な内径（Ｄ１）を有する、
ことを特徴とする請求項３記載の弾球遊技機（１）にある。
【００１１】
請求項５に係る本発明は（例えば図６及び図７参照）、前記移動板（２８４，３８４）は、透過性材料からなる、
ことを特徴とする請求項３または４記載の弾球遊技機（１）にある。
【００１２】
請求項６に係る本発明は（例えば図７参照）、前記移動板（３８４）は、前記遊技盤（３）の方向に向けて前記移動釘（８３）が植設された部分（３８４ａ）が中心となる先端先細形状に形成されてなり、
前記遊技盤（３）は、前記裏面（３ｂ）に前記貫通孔（８８）を中心とし、前記移動板（３８４）の先端先細形状に合せた形状に形成された穴部（３ｄ）を有してなる、
ことを特徴とする請求項３ないし５のいずれか記載の弾球遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、移動板に植設された移動釘が、移動板を移動駆動自在にする駆動手段により遊技領域内を移動し得るので、遊技盤の盤面を流下する遊技球の流下経路に変化をもたらすことができ、弾球遊技機としての興趣を高めることができる。
【００１５】
請求項２に係る本発明によると、移動釘が遊技盤の面方向に対して垂直な方向に移動駆動するので、遊技領域内において移動釘を出現させたり退避させたりすることができる。これにより、移動釘が出現している状態で遊技球が通過し得ない経路を、移動釘が退避することで通過し得るようにすることができ、弾球遊技機としての興趣をさらに高めることができる。
【００１６】
請求項３に係る本発明によると、遊技盤の貫通孔と移動釘との隙間から照明手段の照明を遊技領域に向けて照射する照明手段を備えたので、移動釘の周りを光らせることができて、弾球遊技機としての演出性の向上を図ることができる。
【００１７】
請求項４に係る本発明によると、貫通孔の内径は移動釘の頭部の外径よりも小径なので、移動釘が遊技領域から退避した際に、移動釘の頭部により貫通孔を閉塞することができ、照明手段の照射を遮断することができる。これにより、移動釘の移動に応じて照明の点灯・消灯を行うことができ、弾球遊技機としての演出性の向上を図ることができる。
【００１８】
請求項５に係る本発明によると、移動板が透過性材料からなるので、移動板が照明手段の照射を妨げることを防ぐことができる。これにより、照明手段はより多くの光量を遊技領域に照射することができる。
【００１９】
請求項６に係る本発明によると、遊技盤は移動板の先端先細形状に合せた穴部を備えているので、照明手段はさらに効率よくより多くの光量を遊技領域に照射することができる。
【発明を実施するための最良の形態】
【００２０】
以下、本発明に係る遊技機の実施の形態として、遊技場等に設置されるパチンコ機を図に沿って説明する。なお、本実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。また、図１は本発明の実施の形態におけるパチンコ機の外部構造を示す正面図、図２は本パチンコ機から遊技盤を単体で分離した状態で示す正面図である。
【００２１】
本パチンコ機（弾球遊技機）１は、図１に示すように、発射ハンドル２の操作による発射装置（図示せず）の作動で遊技球（所謂パチンコ玉）を遊技盤３の遊技領域３ａに向かって打ち出しつつ遊戯を行うもので、所謂確率変動等の大当たりが発生した状態でアタッカー（大入賞口）５に入賞した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２がそれぞれに配設されている。そして、前扉７の上部における両放音装置１２，１２の間には、演出用照明装置８が配設されている。なお、皿ユニット１６は、賞球及び貸球を含む遊技球が払い出される球受け皿を構成している。また、筐体６及び前扉７等により遊技機本体が構成されている。
【００２３】
また、ガラス体１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技領域３ａ側に案内するガイドレールを示している。本パチンコ機１には、遊戯中に遊技領域３ａにて入賞することなく落下して、遊技領域３ａ下部のアウト口７６に進入した遊技球をパチンコ機背面側に導くアウト球通路（図示せず）が設けられている。
【００２４】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２５】
また、前扉７における皿ユニット１６の右側下方の前壁部４８には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２６】
また、遊技領域３ａの中央部分には、遊技球ステージＳを有するセンター飾り２３が配設されている。センター飾り２３の下部左右には、大当たり抽選に寄与しない一般の入賞が行われる一般入賞口２５，２６が配設されており、センター飾り２３の下方には、大当たり抽選実行の契機となり得る入賞が行われる始動チャッカー（始動入賞口）２７と、大当たり発生時に開放して遊技領域３ａに打ち出される遊技球を入賞させるアタッカー（大入賞口）５と、が順次配設されている。
【００２７】
始動チャッカー２７は、開放位置と閉止位置とに開閉動作するように始動チャッカー開閉ソレノイド７１（図６参照）によって作動させられる。始動チャッカー２７の直上方には、所謂命釘としての一対の障害釘３０が打ち込まれている。
【００２８】
アタッカー５は、大当たり発生中、例えば、１回の開放で１０個の入賞（入球）を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２９】
遊技領域３ａには、センター飾り２３の四方に風車３１がそれぞれ配設されており、遊技球ステージＳの下方における始動チャッカー２７の左右には、始動チャッカー２７を開閉動作させる抽選の契機となる遊技球通過が行われる役物であるスルーゲート３２がそれぞれ配設されている。
【００３０】
遊技領域３ａにおけるスルーゲート３２、一般入賞口２５，２６及び始動チャッカー２７等の周囲には、遊技球ステージＳから零れた遊技球や、発射されてから遊技球ステージＳに関与せずに落下してくる遊技球を適宜散らし、或いは入球（入賞）に導くようにするための障害釘３３を含む多数の障害釘が打ち込まれている。
【００３１】
センター飾り２３は、上部左右にワープ導入口３８，３８をそれぞれ有し、中央部に、遊技盤３側に固定された図柄表示装置３５を露出する開口３６を有し、かつ該開口３６の左右にワープ導入口３７をそれぞれ有しており、更に、開口３６の中央上部に鈴状役物７７を、遊技球ステージＳの中央部に放出口４９をそれぞれ有している。ワープ導入口３７やワープ導入口３８から入球（入賞）した遊技球は遊技球ステージＳ上に導入されるが、それらの一部は放出口４９に案内されて始動チャッカー２７に向け自重落下させられる。
【００３２】
また、ワープ導入口３７，３７にそれぞれ対向するように、一対ずつの障害釘３９が打ち込まれている。このような本パチンコ機１では、遊技領域３ａに打ち出された遊技球を指導チャッカー２７等に、遊技球ステージＳを介して入球させ又は遊技球ステージＳを介さず直接入球させ得るように遊技が進められる。
【００３３】
なお、上記「ワープ導入」という語句は、遊技領域３ａに打ち出された遊技球を、当該遊技領域３ａの比較的下側に位置する不図示の道釘等を経ることなく、始動チャッカー（始動入賞口）２７の上に導くことを意味する概念である。また、上記「道釘」とは、遊技領域３ａにおいて始動チャッカー２７左右に打ち込まれた複数ほんの障害釘（図示せず）の列を意味するもので、上方から転動落下してきた遊技球を始動チャッカー２７方向に導く役割を担っている。
【００３４】
次に、本実施の形態におけるパチンコ機１の制御系を図３に沿って説明する。なお、同図は本パチンコ機の制御系を示すブロック図である。
【００３５】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、図柄表示装置３５、及び、後述する駆動手段８５のモーター８５ａと、を備えている。
【００３６】
遊技制御装置５４は、不図示の主制御基盤やサブ制御基盤等から構成されている。主制御基盤は、本パチンコ機１の動作全体を統括的に管理するものであり、当該パチンコ機１の動作全体を管理するシステムプログラム及び遊戯用の実行プログラムが予め記憶された半導体メモリ等からなる記憶部（図示せず）と、これらのプログラムを実行する不図示のマイクロプロセッサ（ＭＰＵ）とを備えている。また、サブ制御基盤は、主に画像表示、効果音等の演出、効果光等の表示制御を行うように構成されている。
【００３７】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、及び表示制御手段６５を備えている。
【００３８】
入賞判定手段５５は、発射ハンドル２の操作で作動する発射装置（図示せず）によって遊技領域３ａに打ち出された遊技球Ｂａが始動チャッカー２７、一般入賞口２５，２６、アタッカー５、スルーゲート３２、ワープ導入口３７，３８の何れかに入賞（入球）したとき、当該入賞があった旨を判定する。
【００３９】
入賞信号出力手段５６は、入賞判定手段５５によって入賞（入球）が判定されたとき、対応する始動チャッカー２７、一般入賞口２５，２６、アタッカー５、スルーゲート３２、ワープ導入口３７，３８に入賞した旨の入賞信号を出力する。
【００４０】
抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちのいずれか一方に当選するように、不図示の抽選用メモリから当たり当選乱数値を取得して、大当たり抽選を実行する。
【００４１】
また、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が図柄表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４２】
さらに、抽選手段５７はまた、大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００４３】
遊技制御手段５９は、放音装置１２、及び演出用照明装置８，１１に放音、発光の演出をさせる契機となる指令を演出制御手段６４に送る。また、遊技制御手段５９は、予め設定された演出データや、抽選手段５７での抽選結果に応じて、図柄表示装置３５に表示すべき演出内容に関する信号を、表示制御手段６５に送る。
【００４４】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４５】
また、保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００４６】
作動制御手段６１は、後述する作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００４７】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００４８】
作動決定手段６３は、作動判定手段６２からの判定信号を受けて、始動チャッカー開閉ソレノイド７０、アタッカー開閉ソレノイド７１の作動開始をそれぞれに決定する。
【００４９】
演出制御手段６４は、遊技制御手段５９からの指令に応答して、放音装置１２を放音駆動し、演出用照明装置８，１１を発光させ、遊技者の聴覚や視覚に訴える演出を行う。また、演出制御手段６４は、駆動手段８５のモーター８５ａに、パチンコ機１の主電源がオンした時点から継続的に駆動して、後述する移動釘８３等を移動させるように制御する。
【００５０】
表示制御手段６５は、遊技制御手段５９からの信号に従って、図柄表示装置３５を駆動し、大当たり抽選結果を中心とした内容等の演出を、遊技者の視覚に訴えるように演出表示する。
【００５１】
始動チャッカー開閉ソレノイド７０は、作動制御手段６１から送信された駆動信号に応答してプランジャ（図示せず）を進退動作させて、始動チャッカー２７を開閉動作させる。
【００５２】
アタッカー開閉ソレノイド７１は、作動制御手段６１から送信された駆動信号に応答してプランジャ（図示せず）を進退動作させて、アタッカー５を開閉動作させる。
【００５３】
放音装置１２は、演出制御手段６４の制御に従ってスピーカ（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。図柄表示装置３５は、表示制御手段６５の制御に従って作動し、演出データや抽選手段５７での抽選結果に応じた演出表示を行う。
【００５４】
次に、本パチンコ機１による作用について、図４のフローチャートを併せて参照しつつ説明する。
【００５５】
本パチンコ機１に対面して着座した遊技者が、発射ハンドル２を握って適宜の角度に回動操作すると（ステップＳ１）、不図示の発射装置が作動して、遊技球を所定の時間間隔で遊技領域３ａに向けて連続的に発射させる。すると、遊技領域３ａに打ち出されて転動落下する多数の遊技球は、始動チャッカー２７や一般入賞口２５，２６等に適時入賞し、或いは、これらに関与せずに転動落下して、遊技領域３ａ最下部のアウト口７６から遊技盤３背面側に排出される。
【００５６】
つまり、遊技領域３ａに向けて打ち出された多数の遊技球Ｂａは、その一部がワープ導入口３７や導入口３８から導入されて遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００５７】
ところで、上述したように始動チャッカー２７や一般入賞口２５，２６等の入賞口の何れかに入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００５８】
また、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００５９】
これにより、ステップＳ４において、図柄表示装置３５に表示されるべき当たり図柄がセットされ、抽選手段５７は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００６０】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、図柄表示装置３５に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００６１】
以上のようにして、遊技制御手段５９が、図柄表示装置３５に表示すべき演出内容に関する信号を、表示制御手段６５に送信することに基づき、表示制御手段６５は、図柄表示装置３５を適時駆動し、大当たり抽選結果に関する内容等を、遊技者の視覚に訴えるように演出表示することとなる（ステップＳ５）。
【００６２】
そして、図柄表示装置３５の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる（ステップＳ６）。
【００６３】
次に、本発明の特徴である移動釘８３について説明する。図１及び図２に示すように、本実施の形態のパチンコ機１は、移動釘８３がアタッカー５の上部に例えば９本備えられている。この移動釘８３は、遊技盤３の面方向に対して垂直な方向（以下、Ｘ１−Ｘ２方向とする）に移動可能に支持されている。
【００６４】
ついで、移動釘８３について、詳しくは該移動釘８３を有する釘移動装置１００について図５に沿って説明する。図５は釘移動装置１００を示す断面図であり、（ａ）は上方視図、（ｂ）は側面視図である。
【００６５】
釘移動装置１００は、移動釘８３、移動板８４、及び駆動手段８５を備えている。該移動釘８３は、遊技盤３に設けられた貫通孔８８を貫通した状態で、かつ該貫通孔８８に摺動自在な状態で、その後端側が遊技盤３の裏面３ｂ側において移動板８４に植設固定されている。また、該移動板８４は、例えば円板状に形成されており、遊技盤３の裏面３ｂに形成された円筒状の凹部３ｃに所定の隙間を存して収納されるように配設され、後述する駆動手段８５の縦ガイド部材８５ｃに連結されている。
【００６６】
上記駆動手段８５は、モーター８５ａ、円板部材８５ｂ、縦ガイド部材８５ｃ、及び横ガイド部材８５ｄを備えている。該モーター８５ａは、回転軸が円板部材８５ｂに接続され該円板部材８５ｂを回転駆動し得る。該円板部材８５ｂには、該モーター８５ａと接続されている側とは反対側の外周部分付近に円柱状の凸部８５ｂａが固着されている。
【００６７】
一方、縦ガイド部材８５ｃは、本体部分８５ｃｃとガイド穴８５ｃａとリンク棒８５ｃｂとから構成されており、該本体部分８５ｃｃにて上記移動板８４と接続されている。また、ガイド穴８５ｃａには円板部材８５ｂの円柱状の凸部８５ｂａが摺動自在に挿入されており、ガイド部材８５ｃに対して該凸部８５ｂａの可動域を上下方向（遊技盤３の面方向であればよい）に規制している。
【００６８】
横ガイド部材８５ｄは、遊技盤３の裏面３ｂに対して固定支持されていると共に、ガイド穴８５ｄａに上記縦ガイド部材８５ｃのリンク棒８５ｃｂが摺動自在に挿入されており、縦ガイド部材８５ｃの可動域をＸ１−Ｘ２方向に規制している。
【００６９】
この構成により、モーター８５ａの駆動により円板部材８５ｂがＡ方向に回転すると、該円板部材８５ｂに固着された円柱状の凸部８５ｂａが該円板部材８５ｂの図５（ｂ）中の下半分に位置する際はガイド穴８５ｃａのＸ１方向側の側面を押し、縦ガイド部材８５ｃをＸ１方向に移動させつつ該ガイド穴８５ｃａ内を摺動し、該凸部８５ｂａが該円板部材８５ｂの図５（ｂ）中の上半分に位置する際はガイド穴８５ｃａのＸ２方向側の側面を押し、縦ガイド部材８５ｃをＸ２方向に移動させつつ該ガイド穴８５ｃａ内を摺動する。ここで、該縦ガイド部材８５ｃのリンク棒８５ｃｂは、横ガイド部材８５ｄのガイド穴８５ｄａに摺動自在に挿入され、Ｘ１−Ｘ２方向に可動域が規制されているので、該縦ガイド部材８５ｃはＸ１−Ｘ２方向に移動させられることになる。また、該縦ガイド部材８５ｃは本体部分８５ｃｃで移動板８４と接続され、該移動板８４には移動釘８３が植設されているので、該移動釘８３は該縦ガイド部材８５ｃと一体的な動きをする。
【００７０】
つまり、モーター８５ａが回転駆動すると、移動釘８３が遊技領域３ａに出現・退避し、該動作を周期的に繰り返すこととなる。
【００７１】
なお、本実施の形態では、左右方向に移動可能な移動釘８１が備えられており、該移動釘８１は、遊技盤３の裏面３ｂに形成された凹部３ｃ（図５参照）を移動方向と同じ左右方向に長く形成し、該形成した凹部自体をガイドとし、上述した駆動手段８５と同様のものを９０度向きを変えて連結することで、左右方向に移動可能な構成となるが、これ以外の構成と作用は略々同じなので詳しい説明を省略する。
【００７２】
また、上述したように、移動釘８１は左右方向に移動可能であるが、同様の構成で上下方向や斜め方向等、遊技盤３の面方向に対して平行な移動方向を有する移動釘を配設することも可能である。
【００７３】
なお、本実施の形態では、モーター８５ａを常時回転駆動することで、移動釘８３が手前・奥方向に動作し続ける比較的簡略な構成としているが、例えば始動チャッカー２７への入球（入賞）に応じてモーター８５ａを駆動するように構成するなど、どのようなタイミングで移動釘８３が動作するように構成しても構わない。
【００７４】
また、本実施の形態では、移動釘８１を障害釘３０の左右、移動釘８３をアタッカー５の上部、とそれぞれの移動釘８１，８３の配置する位置を決めているが、遊技領域３ａ内であればどこに配置しても構わない。
【００７５】
更に、本実施の形態における駆動手段８５は、モーター８５ａ、円板部材８５ｂ、縦ガイド部材８５ｃ、及び横ガイド部材８５ｄ等で構成したものを説明したが、これに限らず、例えばモーターの回転を直線運動に変えるラックアンドピニオンギヤ、ウォームギヤ等を用いてもよく、更に直接的に移動板８４を駆動するアクチュエータ等であってもよく、つまり移動板８４及び移動釘８３を移動駆動し得るものであれば、どのようなものであってもよい。
【００７６】
また、移動釘８１のように遊技盤３の面方向に対して平行に移動するものにあっては、風車等を組付けたものであってもよい。
【００７７】
つづいて、本発明の別の実施の形態を図６に沿って説明する。図６は照明手段を含む実施の形態の釘移動装置を示す側面断面図である。
【００７８】
本実施の形態では、釘移動装置２００に照明手段８６を備えている。照明手段８６は、例えばＬＥＤ等の光源であり、遊技盤３の裏面３ｂ側に配置され、移動板２８４のＸ２方向側で台座部８７に固定されており、発光時に、遊技盤３の裏面３ｂ側に向けて光を照射するように構成されている。ここで、遊技盤３に形成された貫通孔８８の内径Ｄ１は、移動釘８３の軸部８３ｂの外径Ｄ２より大きく形成されており、つまり移動釘８３の軸部８３ｂとの間には、光通過可能な隙間が形成されている。また、移動板２８４は例えば円板状の透過性材料、例えばアクリル樹脂にて形成されており、移動板２８４に照射された光が透過し得るように構成されている。そして、例えば円筒状の凹部３ｃは、移動板２８４の周囲との間に所定の隙間を存するように形成されている。
【００７９】
これにより、移動板２８４がＸ１方向側に位置する際、つまり、移動釘８３が遊技領域３ａに出現（突出）している際には、照明手段８６から照射された光は、遊技盤３に形成された凹部３ｃと移動板２８４の隙間を通り抜けた光と、移動板２８４を透過した光とが、遊技盤３に形成された貫通孔８８と軸部８３ｂとの隙間を通り抜け、遊技領域３ａをＸ１方向に照射する。
【００８０】
また、移動釘８３の頭部８３ａの外径Ｄ３は、貫通孔８８の内径Ｄ１より大きく形成されており、移動板２８４がＸ２方向側に位置する際、つまり、移動釘８３が遊技領域３ａから退避している際には、該頭部８３ａが貫通孔８８を閉塞するように構成されている。このため、移動釘８３が遊技領域３ａから退避すると、遊技領域３ａ側に照明手段８６の光が遮断され、照射されないようになる。これにより、移動釘８３の移動に応じて照明の点灯・消灯を行う機能が実現される。
【００８１】
なお、上記穴部３ｄの内壁面に反射板を貼り付ける等して、該穴部３ｄの内壁面の光の反射効率を上昇させることにより、照明手段８６が遊技領域３ａに照射する光量をさらに増加させることが可能である。
【００８２】
ついで、本発明の更に別の実施の形態を図７に沿って説明する。図７は移動板の形状を変更した実施の形態の釘移動装置の一部を示す側面断面図である。
【００８３】
本実施の形態では、釘移動装置３００において、移動釘８３が植設された部分である植設部３８４ａを中心とした先端先細形状の移動板３８４を形成し、遊技盤３の裏面３ｂ側にも該移動板３８４の形状に合せて、移動板３８４と相似形状の穴部３ｄを形成する。これにより、照明手段８６はさらに効率よくより多くの光量を遊技領域３ａ側に照射する。
【００８４】
また同様に、上記穴部３ｄの内壁面に反射板を貼り付ける等して、該穴部３ｄの内壁面の光の反射効率を上昇させることにより、照明手段８６が遊技領域３ａに照射する光量をさらに増加させることが可能である。
【００８５】
なお、本実施の形態の釘移動装置１００，２００，３００では、移動板８４，２８４，３８４に１本の移動釘８３が植設されている構成に関して説明をしたが、該釘移動装置１００，２００，３００は、複数本の移動釘が植設された移動板を備えていても構わない。
【００８６】
また、照明手段８６を固定する台座部８７は、遊技盤３に対して固定支持されていてもよく、反対に移動板２８４や移動板３８４に対して固定支持されていてもよい。
【００８７】
また、パチンコ機は、１本又は複数の移動釘を有する移動板を備えた釘移動装置を複数配設し、それぞれの釘移動装置が個々のタイミングで移動釘を動作させるように構成してあっても構わない。
【００８８】
以上のように本発明に係るパチンコ機１によると、移動板８４に植設された移動釘８３が、移動板８４を移動駆動自在にする駆動手段８５により遊技領域３ａ内を移動し得るので、遊技盤３の盤面を流下する遊技球の流下経路に変化をもたらすことができ、パチンコ機１としての興趣を高めることができる。
【００８９】
また、移動釘８３が遊技盤３の面方向に対して垂直な方向（Ｘ１−Ｘ２方向）に移動駆動するので、遊技領域３ａ内において移動釘８３を出現させたり退避させたりすることができる。これにより、移動釘８３が出現している状態で遊技球が通過し得ない経路を、移動釘８３が退避することで通過し得るようにすることができ、パチンコ機１としての興趣をさらに高めることができる。
【００９０】
また、遊技盤３の貫通孔８８と移動釘８３との隙間から照明手段８６の照明を遊技領域３ａに向けて照射する照明手段８６を備えたので、移動釘８６の周りを光らせることができて、パチンコ機１としての演出性の向上を図ることができる。
【００９１】
また、貫通孔８８の内径Ｄ１は移動釘８３の頭部８３ａの外径Ｄ３よりも小径なので、移動釘８３が遊技領域３ａから退避した際に、移動釘８３の頭部８３ａにより貫通孔８８を閉塞することができ、照明手段８６の照射を遮断することができる。これにより、移動釘８３の移動に応じて照明の点灯・消灯を行うことができ、パチンコ機１としての演出性の向上を図ることができる。
【００９２】
さらに、移動板２８４，３８４が透過性材料からなるので、移動板２８４，３８４が照明手段８６の照射を妨げることを防ぐことができる。これにより、照明手段８６はより多くの光量を遊技領域３ａに照射することができる。
【００９３】
また、遊技盤３は移動板３８４の先端先細形状に合せた穴部３ｄを備えているので、照明手段８６はさらに効率よくより多くの光量を遊技領域３ａに照射することができる。
【００９４】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９５】
【図１】本発明の実施の形態におけるパチンコ機の外部構造を示す正面図。
【図２】本パチンコ機から遊技盤を単体で分離した状態で示す正面図。
【図３】本パチンコ機の制御系を示すブロック図。
【図４】本パチンコ機による作動を説明するためのフローチャート。
【図５】釘移動装置を示す断面図で（ａ）は上方視図、（ｂ）は側面視図。
【図６】照明手段を含む実施の形態の釘移動装置の一部を示す側面断面図。
【図７】移動板の形状を変更した実施の形態の釘移動装置の一部を示す側面断面図。
【符号の説明】
【００９６】
１      弾球遊技機（パチンコ機）
３      遊技盤
３ａ    遊技領域
３ｂ    遊技盤の裏面
３ｄ    穴部
３３    障害釘
８１、８３    移動釘
８３ｂ  軸部
８４、２８４、３８４    移動板
８５    駆動手段
８６    照明手段
８８    貫通孔
３８４ａ  移動釘の植設部
Ｄ１    貫通孔の内径
Ｄ２    移動釘の軸部の外径
Ｄ３    移動釘の頭部の外径
Ｘ１−Ｘ２方向  遊技盤面に対して垂直な方向
【図１】
2007117672.tif 000003
【図２】
2007117672.tif 000004
【図３】
2007117672.tif 000005
【図４】
2007117672.tif 000006
【図５】
2007117672.tif 000007
【図６】
2007117672.tif 000008
【図７】
2007117672.tif 000009